(57)【要約】【課題】内部のスペースを有効に活用することができるキャビネットを提供する。【解決手段】キャビネット１の前部における左部に、複数の回路遮断器５、５・・が、その一次側端子Ｐ側をキャビネット１の左右方向で外側に向けた姿勢で、上下方向に並設されるようになっているとともに、キャビネット１の前部における右部に、電流計１１及び電圧計１２が搭載された計器用パネル１０を、キャビネット１の右側縁を軸として片開き可能に取り付けた。また、計器用パネル１０が、回路遮断器５、５・・の二次側端子Ｌに接続されるケーブルを覆う所謂配線覆いとしての機能ももたせた。【選択図】図１
2019097275.tif 000002
【特許請求の範囲】
【請求項１】
少なくとも電流計が搭載された板状のメータパネルが取り付けられてなるキャビネットであって、
前記キャビネットの前部における左部と右部との何れか一方に、複数のプラグインブレーカを、一次側端子を前記キャビネットの左右方向で外側に向けた姿勢で、上下方向に並設可能であるとともに、
他方に、前記メータパネルが前記キャビネットの側縁を軸として片開き可能に取り付けられていることを特徴とするキャビネット。
【請求項２】
前記メータパネルが、前記プラグインブレーカの二次側端子に接続されるケーブルを被覆可能であることを特徴とする請求項１に記載のキャビネット。
【発明の詳細な説明】
【技術分野】
【０００１】
本発明は、たとえば高圧受電設備において回路遮断器や電流計等の各種機器を収納するキュービクル等といったキャビネットに関するものである。
【背景技術】
【０００２】
従来、配電盤や高圧受配電装置等に使用されるキャビネットには、高圧遮断器や低圧遮断器等の各種回路遮断器を始めとして、電流計や電圧計等の計測装置等も内蔵される。そして、それらの計測装置は、キャビネットの前部における上部に固定される計器用パネル上に搭載することが多い（たとえば特許文献１）。
【０００３】
図４に従来のキャビネット４１を示す。従来のキャビネット４１では、電流計１１及び電圧計１２が搭載された計器用パネル４２が、キャビネット４１の前部における上部に固定されている。
【先行技術文献】
【特許文献】
【０００４】
【特許文献１】特開平６−２５３４２２号公報
【発明の概要】
【発明が解決しようとする課題】
【０００５】
しかしながら、図４に示すような従来のキャビネット４１では、計器用パネル４２のために、キャビネット４１の左部において上下方向へ並設可能なブレーカ５、５・・の個数が少ないという問題があった。
【０００６】
そこで、本発明は、上記問題に鑑みなされたものであって、内部のスペースを有効に活用することができるキャビネットを提供しようとするものである。
【課題を解決するための手段】
【０００７】
上記目的を達成するために、本発明のうち請求項１に記載の発明は、少なくとも電流計が搭載された板状の計器用パネルが取り付けられてなるキャビネットであって、前記キャビネットの前部における左部と右部との何れか一方に、複数のプラグインブレーカを、一次側端子を前記キャビネットの左右方向で外側に向けた姿勢で、上下方向に並設可能であるとともに、他方に、前記計器用パネルが前記キャビネットの側縁を軸として片開き可能に取り付けられていることを特徴とする。
請求項２に記載の発明は、請求項１に記載の発明において、前記計器用パネルが、前記プラグインブレーカの二次側端子に接続されるケーブルを被覆可能であることを特徴とする。
【発明の効果】
【０００８】
本発明によれば、キャビネットの前部における左部と右部との何れか一方に、複数のプラグインブレーカを、一次側端子をキャビネットの左右方向で外側に向けた姿勢で、上下方向に並設可能であるとともに、他方に、計器用パネルがキャビネットの側縁を軸として片開き可能に取り付けられている。したがって、上部に計器用パネルを固定していた従来のキャビネットと比較して、キャビネット内部のスペースを有効に利用することができるため、従来よりも多くのプラグインブレーカを設置することができるとともに、計器用パネルに搭載されている機器のメンテナンスも容易に行うことができる。
また、請求項２に記載の発明によれば、計器用パネルが所謂配線覆いとしての機能も有しているため、合理的な構成とすることができる。
【図面の簡単な説明】
【０００９】
【図１】キャビネットの外観を示した斜視説明図である。
【図２】キャビネットを正面側から示した説明図である。
【図３】計器用パネルが片開き状態にあるキャビネットを示した斜視説明図である。
【図４】従来のキャビネットを正面側から示した説明図である。
【発明を実施するための形態】
【００１０】
以下、本発明の一実施形態となるキャビネットについて、図面にもとづき詳細に説明する。
【００１１】
図１は、キャビネット１の外観を示した斜視説明図である。図２は、キャビネット１を正面側から示した説明図である。図３は、計器用パネル１０が片開き状態にあるキャビネット１を示した斜視説明図である。
【００１２】
キャビネット１は、所謂高圧受電設備に使用されるキュービクルであって、天板２と、底枠３と、天板２と底枠３とを連結する複数の支柱部材４、４・・とを備えてなる。そして、キャビネット１の前部には、高圧遮断器や低圧遮断器等の各種回路遮断器５、５・・が並設されている。これらの回路遮断器５、５・・は主にプラグインブレーカであって、キャビネット１の前部における左側がブレーカ設置部とされており、当該ブレーカ設置部において、回路遮断器５、５・・は、一次側端子Ｐ側を左右方向で外側（ここでは左側）へ向けた姿勢で上下方向に並設されている。また、キャビネット１の前部におけるブレーカ設置部の右側は、回路遮断器５、５・・の二次側端子Ｌに接続されるケーブルの配線用スペースとされており、当該配線用スペースを覆うように計器用パネル１０が取り付けられている。
【００１３】
計器用パネル１０は、上下長さがキャビネット１の上下長さと略同じで、左右長さがキャビネット１の左右長さの略半分とされた正面視矩形の板状に成形されている。そして、当該計器用パネル１０の上部には、電流計１１および電圧計１２が搭載されている。また、計器用パネル１０は、キャビネット１の右側縁を軸として片開き可能に取り付けられており、回路遮断器５、５・・の二次側端子Ｌに接続されるケーブルを覆う所謂配線覆いとしての機能も有している。
【００１４】
以上のような構成を有するキャビネット１によれば、キャビネット１の前部における左部に、複数の回路遮断器５、５・・が、その一次側端子Ｐ側をキャビネット１の左右方向で外側に向けた姿勢で、上下方向に並設されるようになっているとともに、キャビネット１の前部における右部に、電流計１１及び電圧計１２が搭載された計器用パネル１０を、キャビネット１の右側縁を軸として片開き可能に取り付けている。したがって、キャビネットの上部に計器用パネルを固定していた従来のものと比較して、キャビネット１内部のスペースを有効に利用することができるため、従来よりも多くの回路遮断器５、５・・を設置することができるとともに、計器用パネル１０に搭載されている電流計１１及び電圧計１２のメンテナンスも容易に行うことができる。
また、計器用パネル１０が、回路遮断器５、５・・の二次側端子Ｌに接続されるケーブルを覆う所謂配線覆いとしての機能も有しているため、合理的な構成とすることができる。
【００１５】
なお、本発明のキャビネットに係る構成は、上記実施形態の態様に何ら限定されるものではなく、キャビネットの全体的な構造は勿論、計器用パネルに係る構成等についても、本発明の趣旨を逸脱しない範囲で、必要に応じて適宜変更することができる。
【００１６】
たとえば、上記実施形態では、計器用パネルに配線覆いとしての機能ももたせているが、配線覆いとしての機能をもたせず、キャビネットの右上隅部に取り付けられる程度の大きさの計器用パネルとしてもよい。
また、上記計器用パネルを上部と下部とに分断し、一方を計器用パネルとして、他方を配線覆いとして夫々独立して片開きするように構成しても何ら問題はない。
さらに、１つのキャビネットに複数の計器用パネルを取り付けることも可能であるし、右側縁ではなく、左側縁を軸として片開きするように取り付けてもよい。その場合、プラグインブレーカは、キャビネットの前部における右部に並設されることになる。
加えて、上記実施形態では、計器用パネルの大きさを、計器用パネルの開閉状態に拘わらず、全てのプラグインブレーカが露出するような大きさとしているが、計器用パネルを閉じた際、複数のプラグインブレーカのうちの一部を覆うような大きさとしても何ら問題はない。
【符号の説明】
【００１７】
１・・キャビネット、５・・回路遮断器（プラグインブレーカ）、１０・・計器用パネル、１１・・電流計、１２・・電圧計。
【図１】
2019097275.tif 000003
【図２】
2019097275.tif 000004
【図３】
2019097275.tif 000005
【図４】
2019097275.tif 000006